(57)【要約】【課題】光ピックアップの感度を向上させる上で有利な光ピックアップのレンズホルダの成形体および光ピックアップの製造方法を提供する。【解決手段】成形体１２は、レンズホルダ１２０４と、フォーカシングコイル取付部１２０６と、トラッキングコイル取付部１２０８とを含んで構成されている。各トラッキングコイル取付部１２０８は、トラッキングコイル１８が装着される軸部１２１８と、軸部１２１８の先端に形成されたトラッキングコイル装着用のフランジ１２２０とで構成されており、軸部１２１８にトラッキングコイル１８が巻回されることでトラッキングコイル１８が装着される。レンズホルダ１２０４と軸部１２１８は非水溶性樹脂材料で一体に形成され、フランジ１２２０は水溶性樹脂材料で形成されている。【選択図】        図２
2005190596.tif 000002
【特許請求の範囲】
【請求項１】
光ビームを光ディスクの記録面上に集光する対物レンズが搭載された光ピックアップのレンズホルダを形成するための成形体であって、
前記成形体は、前記対物レンズを保持するレンズホルダと、前記レンズホルダの側面に設けられたトラッキングコイル取付部とを含んで構成され、
前記トラッキングコイル取付部は、前記対物レンズの光軸を含む面と直交する方向に突出しトラッキングコイルが装着される軸部と、該軸部の先端に該軸部の断面よりも大きな面積で形成され前記軸部へのトラッキングコイルの装着を円滑に行なわしめるフランジとで構成され、
前記レンズホルダと前記軸部は非水溶性樹脂材料で一体に形成され、
前記フランジは水溶性樹脂材料で形成されている、
ことを特徴とする光ピックアップのレンズホルダの成形体。
【請求項２】
前記レンズホルダは前記対物レンズを保持するレンズ保持部と、該レンズ保持部の外側で該レンズ保持部を囲むように設けられた支持枠部とを有し、前記トラッキングコイル取付部は、前記支持枠部の側面に形成されていることを特徴とする請求項１記載の光ピックアップのレンズホルダの成形体。
【請求項３】
前記レンズホルダは前記対物レンズを保持するレンズ保持部と、該レンズ保持部の外側で該レンズ保持部を囲むように設けられた支持枠部とを有し、前記支持枠部の側面で前記対物レンズの光軸方向に沿った両端の箇所にそれぞれ軸部半体とフランジ半体とが設けられ、前記軸部は前記両端の軸部半体により構成され、前記フランジは前記両端のフランジ半体により構成されていることを特徴とする請求項１記載の光ピックアップのレンズホルダの成形体。
【請求項４】
前記トラッキングコイル取付部は、前記対物レンズを挟んだ前記レンズホルダの２箇所に設けられていることを特徴とする請求項１記載の光ピックアップのレンズホルダの成形体。
【請求項５】
光ビームを光ディスクの記録面上に集光する対物レンズが搭載された光ピックアップのレンズホルダの成形体であって、
前記成形体は、光ビームを前記光ディスクの記録面上に集光する対物レンズを保持するレンズホルダと、前記レンズホルダに設けられ前記対物レンズの光軸の回りを囲むようにフォーカシングコイルが装着されるフォーカシングコイル取付部と、前記レンズホルダに設けられ前記対物レンズの光軸を含む面と直交する仮想軸の回りを囲むようにトラッキングコイルが装着されるトラッキングコイル取付部とを含んで構成され、
前記トラッキングコイル取付部は、前記対物レンズの光軸を含む面と直交する方向に突出し前記トラッキングコイルが装着される軸部と、該軸部の先端に該軸部の断面よりも大きな面積で形成され前記軸部へのトラッキングコイルの装着を円滑に行なわしめるフランジとで構成され、
前記レンズホルダと前記軸部は非水溶性樹脂材料で一体に形成され、
前記フランジは水溶性樹脂材料で形成されている、
ことを特徴とする光ピックアップのレンズホルダの成形体。
【請求項６】
前記レンズホルダは前記対物レンズを保持するレンズ保持部と、該レンズ保持部の外側で該レンズ保持部を囲むように設けられた支持枠部とを有し、前記レンズホルダの側面は前記支持枠部の側面で形成されていることを特徴とする請求項５記載の光ピックアップのレンズホルダの成形体。
【請求項７】
前記レンズホルダは前記対物レンズを保持するレンズ保持部と、該レンズ保持部の外側で該レンズ保持部を囲むように設けられた支持枠部とを有し、前記レンズホルダの側面は前記支持枠部の側面で形成され、前記支持枠部の側面で前記光軸方向に沿った中間の箇所に該側面の全周にわたって前記フォーカシングコイル装着用溝が設けられ、前記フォーカシングコイル取付部は前記フォーカシングコイル装着用溝で構成され、前記支持枠部の側面で前記光軸方向に沿った両端の箇所にそれぞれ軸部半体とフランジ半体とが設けられ、前記軸部は前記両端の軸部半体により構成され、前記フランジは前記両端のフランジ半体により構成されていることを特徴とする請求項５記載の光ピックアップのレンズホルダの成形体。
【請求項８】
前記トラッキングコイル取付部は、前記対物レンズを挟んだ前記レンズホルダの２箇所に設けられていることを特徴とする請求項５記載の光ピックアップのレンズホルダの成形体。
【請求項９】
光ビームを光ディスクの記録面上に集光する対物レンズが搭載されたレンズホルダを有する光ピックアップの製造方法であって、
レンズホルダの成形体が設けられ、
前記成形体は、前記対物レンズを保持するレンズホルダと、前記レンズホルダの側面に設けられたトラッキングコイル取付部とを含んで構成され、
前記トラッキングコイル取付部は、前記対物レンズの光軸を含む面と直交する方向に突出しトラッキングコイルが装着される軸部と、該軸部の先端に該軸部の断面よりも大きな面積で形成され前記軸部へのトラッキングコイルの装着を円滑に行なわしめるフランジとで構成され、
前記レンズホルダと前記軸部は非水溶性樹脂材料で一体に形成され、
前記フランジは水溶性樹脂材料で形成され、
前記軸部にトラッキングコイルを装着し、
その後、少なくとも前記フランジを水に浸漬させフランジを取り除くようにした、
ことを特徴とする光ピックアップの製造方法。
【請求項１０】
前記フランジの水への浸漬時に前記成形体の全体が水に浸漬されることを特徴とする請求項９記載の光ピックアップの製造方法。
【請求項１１】
光ビームを光ディスクの記録面上に集光する対物レンズが搭載されたレンズホルダを有する光ピックアップの製造方法であって、
レンズホルダの成形体が設けられ、
前記成形体は、光ビームを前記光ディスクの記録面上に集光する対物レンズを保持するレンズホルダと、前記レンズホルダに設けられ前記対物レンズの光軸の回りを囲むようにフォーカシングコイルが装着されるフォーカシングコイル取付部と、前記レンズホルダに設けられ前記対物レンズの光軸を含む面と直交する仮想軸の回りを囲むようにトラッキングコイルが装着されるトラッキングコイル取付部とを含んで構成され、
前記トラッキングコイル取付部は、前記対物レンズの光軸を含む面と直交する方向に突出し前記トラッキングコイルが装着される軸部と、該軸部の先端に該軸部の断面よりも大きな面積で形成され前記軸部へのトラッキングコイルの装着を円滑に行なわしめるフランジとで構成され、
前記レンズホルダと前記軸部は非水溶性樹脂材料で一体に形成され、
前記フランジは水溶性樹脂材料で形成され、
前記フォーカシングコイル取付部にフォーカシングコイルを装着し、
前記軸部にトラッキングコイルを装着し、
その後、少なくとも前記フランジを水に浸漬させフランジを取り除くようにした、
ことを特徴とする光ピックアップの製造方法。
【請求項１２】
前記フランジの水への浸漬時に前記成形体の全体が水に浸漬されることを特徴とする請求項１１記載の光ピックアップの製造方法。
【発明の詳細な説明】
【技術分野】
【０００１】
本発明は光ピックアップのレンズホルダを形成するための成形体および光ピックアップの製造方法に関する。
【背景技術】
【０００２】
光ディスク装置に組み込まれ光ディスクに対して光ビームを照射して情報の記録再生を行なう光ピックアップがある。
このような光ピックアップは、前記光ビームを光ディスクの記録面上に集光するための対物レンズと、該対物レンズを保持するレンズホルダと、該レンズホルダをベース部材上で光ディスクのトラッキング方向およびフォーカシング方向に移動可能に支持する支持手段と、レンズホルダをトラッキング方向およびフォーカシング方向に駆動するアクチュエータとを備えている。
アクチュエータは、レンズホルダのフォーカシングコイル取付部に取着されたフォーカシングコイルおよびトラッキングコイル取付部に取着されたトラッキングコイルと、ベース部材に設けられた永久磁石などを含む磁気発生手段とを備え、アクチュエータによるレンズホルダの駆動は、フォーカシングコイルおよびトラッキングコイルに供給される駆動電流によって発生する磁界と、前記磁気発生手段で発生する磁界との相互作用によってレンズホルダが動かされることによってなされている。
多くの場合、フォーカシングコイル取付部は、対物レンズの光軸の回りを囲むようにレンズホルダの側面全周に設けられた溝により構成され、トラッキングコイル取付部は、レンズホルダの側面から対物レンズの光軸を含む面と直交する方向に突出しトラッキングコイルが装着される軸部と、該軸部の先端に該軸部の断面よりも大きな面積で形成され前記軸部へのトラッキングコイルの装着を円滑に行なわしめるためのフランジとで構成されている（例えば特許文献１参照）。
【０００３】
【特許文献１】特開２００２−３６７２０４号公報
【発明の開示】
【発明が解決しようとする課題】
【０００４】
近年、光ディスク装置においては、光ディスクに対する記録再生速度の高速化、言い換えると光ディスクの回転速度を上げることが求められている。光ディスクの高速回転を実現するためには、光ピックアップにおける対物レンズのフォーカシング方向およびトラッキング方向への追従性を高めること、言い換えればアクチュエータの電力感度の向上（高感度化）を図ることが必要である。
一方、トラッキングコイル取付部に着目した場合、前記軸部にトラッキングコイルが装着された後は、フランジは不要物となっている。
そして、このフランジを有していることからその分レンズホルダは重量増となっている。また、フランジを有していることから、トラッキングコイルと磁気発生手段との間の磁気ギャップを短縮するにも限界があった。
本発明は、このようなトラッキングコイル取付部のフランジに着目して案出されたものであり、本発明の目的は光ピックアップの高感度化を図る上で有利な光ピックアップのレンズホルダの成形体および光ピックアップの製造方法を提供することにある。
【課題を解決するための手段】
【０００５】
上述の目的を達成するため、本発明の光ピックアップのレンズホルダの成形体は、光ビームを光ディスクの記録面上に集光する対物レンズが搭載された光ピックアップのレンズホルダの成形体であって、前記成形体は、前記対物レンズを保持するレンズホルダと、前記レンズホルダの側面に設けられたトラッキングコイル取付部とを含んで構成され、前記トラッキングコイル取付部は、前記対物レンズの光軸を含む面と直交する方向に突出しトラッキングコイルが装着される軸部と、該軸部の先端に該軸部の断面よりも大きな面積で形成され前記軸部へのトラッキングコイルの装着を円滑に行なわしめるフランジとで構成され、前記レンズホルダと前記軸部は非水溶性樹脂材料で一体に形成され、前記フランジは水溶性樹脂材料で形成されていることを特徴とする。
また、本発明の光ピックアップのレンズホルダの成形体は、光ビームを光ディスクの記録面上に集光する対物レンズが搭載された光ピックアップのレンズホルダの成形体であって、前記成形体は、光ビームを前記光ディスクの記録面上に集光する対物レンズを保持するレンズホルダと、前記レンズホルダに設けられ前記対物レンズの光軸の回りを囲むようにフォーカシングコイルが装着されるフォーカシングコイル取付部と、前記レンズホルダに設けられ前記対物レンズの光軸を含む面と直交する仮想軸の回りを囲むようにトラッキングコイルが装着されるトラッキングコイル取付部とを含んで構成され、前記トラッキングコイル取付部は、前記対物レンズの光軸を含む面と直交する方向に突出し前記トラッキングコイルが装着される軸部と、該軸部の先端に該軸部の断面よりも大きな面積で形成され前記軸部へのトラッキングコイルの装着を円滑に行なわしめるフランジとで構成され、前記レンズホルダと前記軸部は非水溶性樹脂材料で一体に形成され、前記フランジは水溶性樹脂材料で形成されていることを特徴とする。
また、本発明の光ピックアップの製造方法は、光ビームを光ディスクの記録面上に集光する対物レンズが搭載されたレンズホルダを有する光ピックアップの製造方法であって、レンズホルダの成形体が設けられ、前記成形体は、前記対物レンズを保持するレンズホルダと、前記レンズホルダの側面に設けられたトラッキングコイル取付部とを含んで構成され、前記トラッキングコイル取付部は、前記対物レンズの光軸を含む面と直交する方向に突出しトラッキングコイルが装着される軸部と、該軸部の先端に該軸部の断面よりも大きな面積で形成され前記軸部へのトラッキングコイルの装着を円滑に行なわしめるフランジとで構成され、前記レンズホルダと前記軸部は非水溶性樹脂材料で一体に形成され、前記フランジは水溶性樹脂材料で形成され、前記軸部にトラッキングコイルを装着し、その後、少なくとも前記フランジを水に浸漬させフランジを取り除くようにしたことを特徴とする。
また、本発明の光ピックアップの製造方法は、光ビームを光ディスクの記録面上に集光する対物レンズが搭載されたレンズホルダを有する光ピックアップの製造方法であって、レンズホルダの成形体が設けられ、前記成形体は、光ビームを前記光ディスクの記録面上に集光する対物レンズを保持するレンズホルダと、前記レンズホルダに設けられ前記対物レンズの光軸の回りを囲むようにフォーカシングコイルが装着されるフォーカシングコイル取付部と、前記レンズホルダに設けられ前記対物レンズの光軸を含む面と直交する仮想軸の回りを囲むようにトラッキングコイルが装着されるトラッキングコイル取付部とを含んで構成され、前記トラッキングコイル取付部は、前記対物レンズの光軸を含む面と直交する方向に突出し前記トラッキングコイルが装着される軸部と、該軸部の先端に該軸部の断面よりも大きな面積で形成され前記軸部へのトラッキングコイルの装着を円滑に行なわしめるフランジとで構成され、前記レンズホルダと前記軸部は非水溶性樹脂材料で一体に形成され、前記フランジは水溶性樹脂材料で形成され、前記フォーカシングコイル取付部にフォーカシングコイルを装着し、前記軸部にトラッキングコイルを装着し、その後、少なくとも前記フランジを水に浸漬させフランジを取り除くようにしたことを特徴とする。
【発明の効果】
【０００６】
本発明によれば、トラッキングコイル取付部は、トラッキングコイルが装着される軸部と、該軸部の先端に該軸部の断面よりも大きな面積で形成されたトラッキングコイル装着用のフランジとで構成され、レンズホルダと軸部は非水溶性樹脂材料で一体に形成され、フランジは水溶性樹脂材料で形成されている。したがって、軸部にトラッキングコイルを装着し、その後、少なくともフランジを水に浸漬させフランジを取り除くことができる。
そのため、フランジの分だけレンズホルダの重量を軽量化することができ、かつ、フランジの厚さの分だけ磁気ギャップを短縮化することができるので、光ピックアップの高感度化を図る上で有利となる。
【発明を実施するための最良の形態】
【０００７】
光ピックアップの高感度を図るという目的を、トラッキングコイル取付部をトラッキングコイルが装着される軸部と該軸部の先端に形成されたトラッキングコイル装着用のフランジとで構成し、レンズホルダと軸部を非水溶性樹脂材料で一体に形成し、フランジを水溶性樹脂材料で形成することによって実現した。
【実施例１】
【０００８】
次に本発明の実施例１について図面を参照して説明する。
図１は実施例１に係るレンズホルダの成形体が適用された光ピックアップの斜視図、図２は実施例１に係るレンズホルダの成形体の斜視図、図３は実施例１に係るレンズホルダの成形体が適用された光ピックアップの説明図、図４は実施例１に係るレンズホルダの成形体の部分断面図である。
【０００９】
図１〜図３に示すように、光ピックアップ１０は、本発明に係る成形体１２、光ビームを光ディスクの記録面上に集光する対物レンズ１４、フォーカシングコイル１６、トラッキングコイル１８、固定部材２０、サスペンション部材２２、永久磁石２４、ヨーク２６、ヨークベース２８、ベース部材３０などを有している。
成形体１２は、レンズホルダ１２０４と、フォーカシングコイル１６が取り付けられるフォーカシングコイル取付部１２０６と、トラッキングコイル１８が取り付けられるトラッキングコイル取付部１２０８とを含んで構成されている。
レンズホルダ１２０４は、対物レンズ１４を保持するレンズ保持部１２１０と、レンズ保持部１２１０の外側で該レンズ保持部１２１０を囲むように設けられた矩形枠部状の支持枠部１２１２とを有している。支持枠部１２１２の側面１２１４によりレンズホルダ１２０４の側面が形成されている。
また、支持枠部１２１２の内側でレンズ保持部１２１０を挟む２箇所にはそれぞれヨーク挿通孔１２１５が光軸方向に沿って貫通形成されている。
【００１０】
フォーカシングコイル取付部１２０６には対物レンズ１２０２の光軸の回りを囲むようにフォーカシングコイル１６が装着される。
本実施例では、フォーカシングコイル取付部１２０６は、支持枠部１２１２の側面１２１４で光軸方向に沿った中間の箇所に該側面１２１４の全周にわたって形成されたフォーカシングコイル装着用溝１２１６によって構成されている。
【００１１】
トラッキングコイル取付部１２０８には対物レンズ１２０２の光軸を含む面と直交する仮想軸の回りを囲むようにトラッキングコイル１８が装着される。
本実施例では、トラッキングコイル取付部１２０８は、対物レンズ１４を挟んだレンズホルダ１２０４の２箇所に２つずつ設けられ、合計４つ設けられている。
図２に示すように、各トラッキングコイル取付部１２０８は、対物レンズ１４の光軸を含む面と直交する方向に突出しトラッキングコイル１８が装着される軸部１２１８と、軸部１２１８の先端に該軸部１２１８の断面よりも大きな面積で形成されたフランジ１２２０とで構成されている。
トラッキングコイル１８は軸部１２１８に巻回されて装着され、フランジ１２２０は、トラッキングコイル１８の軸部１２１８への巻回時にトラッキングコイル１８が整然と巻回されるように設けられたものである。
本実施例では、支持枠部１２１２の側面１２１４で光軸方向に沿った両端の箇所にそれぞれ軸部半体１２１８Ａとフランジ半体１２２０Ａとが設けられ、軸部１２１８は両端の軸部半体１２１８Ａにより構成され、フランジ１２２０は両端のフランジ半体１２２０Ａにより構成され、フォーカシングコイル１６がフォーカシングコイル装着用溝１２１６に装着された後、トラッキングコイル１８が軸部１２１８に装着される。
【００１２】
図４（Ａ）のトラッキングコイル取付部１２０８の断面図に示すように、レンズホルダ１２０４と軸部１２１８は非水溶性樹脂材料で一体に形成され、フランジ１２２０は水溶性樹脂材料で形成されている。
なお、本発明において非水溶性樹脂材料とは、水に浸漬した際に、水に溶解したり水で分解されない材料をいい、水溶性樹脂材料とは、水に浸漬した際に、水に溶解され水で分解される材料をいう。なお、水溶性樹脂材料としては、例えば生分解性樹脂やポリビニルアルコール系樹脂や尿素系樹脂を用いることができる。
上述の構成からなる成形体１２は、フランジ１２２０を除いた部分を非水溶性樹脂を用いて射出成形し、次に、この成形品を型に挿入し水溶性樹脂を用いて軸部１２１８の先端部にフランジ１２２０を射出成形することで（二色成形）により成形され、この成形方法自体は例えば特開２００１−２９３７４２号公報に開示されているように公知技術である。
【００１３】
次に、成形体１２を用いた光ピックアップ１０の製造方法について説明する。
まず、成形体１２にフォーカシングコイル１６を取付ける。
すなわち、図２、図４（Ａ）に示すように、フォーカシングコイル装着用溝１２１６にコイル用の線材を巻回することでフォーカシングコイル装着用溝１２１６の全周にわたってフォーカシングコイル１６を形成する。
前記線材が所定回数巻回されたならば、フォーカシングコイル１６の部分に接着剤を塗布して該接着剤を線材同士の間に浸透させつつ、フォーカシングコイル１６とフォーカシングコイル装着用溝１２１６との間にも接着剤を塗布し、該接着剤を硬化させる。
これにより、フォーカシングコイル１６がフォーカシング取付部１２０６に取付けられる。
なお、フォーカシングコイル装着用溝１２１６に巻回する前の線材に予め接着剤を塗布しておき、該接着剤が塗布された線材をフォーカシングコイル装着用溝１２１６に巻回するようにしてもよい。
【００１４】
次に、成形体１２にトラッキングコイル１８を取付ける。
すなわち、図２、図４（Ａ）に示すように、各軸部１２１８にコイル用の線材を所定回数巻回することで各軸部１２１８の全周にわたってトラッキングコイル１８を形成する。
この際、軸部１２１８の先端に設けられたフランジ１２２０の作用により、軸部１２１８に巻回された線材が軸部１２１８の先端から外れることなくトラッキングコイル１８の装着が円滑になされる。
前記線材が所定回数巻回されたならば、トラッキングコイル１８の部分に接着剤を塗布して該接着剤を線材同士の間に浸透させつつ、トラッキングコイル１８と各軸部１２１８との間にも接着剤を塗布し、該接着剤を硬化させる。
これにより、トラッキングコイル１８が各トラッキングコイル取付部１２０８に取付けられる。
なお、フォーカシングコイル１６の場合と同様に、予め接着剤が塗布された線材を軸部１２１８に巻回するようにしてもよい。
【００１５】
次いで、フォーカシングコイル１６およびトラッキングコイル１８が取付けられた成形体１２の全体、あるいは、少なくともフランジ１２２０の部分を水が張られた水槽内に所定時間浸漬する。
これにより、水溶性樹脂材料で形成されたフランジ１２２０の部分は水に溶解されるが、非水溶性樹脂材料で形成されたレンズホルダ１２０４と軸部１２１８は溶解されない。
次いで、水槽から取出した成形体１２を水洗いすることにより、図４（Ｂ）に示すように、フランジ１２２０の部分のみが完全に除去される。
なお、フランジ１２２０の部分を溶解除去するために要する時間を短縮するために、浸漬あるいは洗浄する水として温水を用いたり、水中に浸漬した成形体１２に超音波を当てることは任意である。
フランジ１２２０の部分の除去が完了したならば、成形体１２を乾燥させる。
そして、対物レンズ１４をレンズ保持部１２１０に接着剤によって接着する。
【００１６】
次いで、図１に示すように、弾性変形可能な軸状部材で形成された４つのサスペンション部材２２の一方の端部にレンズホルダ１４０４を取着するとともに、４つのサスペンション部材２２の他方の端部に固定部材２０を取着することで、レンズホルダ１４０４と固定部材２０を４つのサスペンション部材２２を介して連結する。サスペンション部材２２とレンズホルダ１４０４および固定部材２０との取着は、例えば接着剤による接着によってなされる。
これによりレンズホルダ１４０４は対物レンズ１４の光軸方向および該光軸と直交する方向に移動可能に支持される。
【００１７】
図３に示すように、磁性材料によって板状に形成されたヨークベース２８の上面には２つの永久磁石２４が間隔をおいて取着されている。２つの永久磁石２４の外側には、ヨークベース２８と一体的に設けられた２つのヨーク２６がレンズホルダ１２０４の２つのヨーク挿通孔１２１５に挿通されるようにヨークベース２８から上方に向けて突設されている。ヨークベース２８は、該ヨークベース２８よりも一回り大きい板状に形成されたベース部材３０上に取着されている。
そして、このように構成されたベース部材３０上に、サスペンション部材２２を介してレンズホルダ１４０４が連結された固定部材２０とヨークベース２８を取付ける。
前記取付けは、２つの永久磁石２４がレンズホルダ１４０４を前記光軸と直交する方向で挟み、かつ、２つのヨーク２６がレンズホルダ１２０４の２つのヨーク挿通孔１２１５に挿通されるようになされ、各トラッキングコイル１８がヨーク２６と永久磁石２４との間に位置した状態で、トラッキングコイル１８の端面が永久磁石２４の磁極に対向するようになされる。
また、固定部材２０とヨークベース２８のベース部材３０への取付はねじによる締結あるいは接着剤による接着によってなされる。
以上で光ピックアップ１０の組立が完成する。
【００１８】
次に、完成した光ピックアップ１０のフォーカシング動作およびトラッキング動作について説明する。
図３に示す状態で、フォーカシングコイル１６にフォーカシング動作用の駆動電流が供給されることにより発生した磁界と、永久磁石２４とヨーク２６およびヨークベース２８によって形成される磁気発生手段で発生された磁界との相互作用によってレンズホルダ１２０４は対物レンズ１４の光軸方向（光ディスクの厚さ方向）に動かされ、フォーカシング動作がなされる。
また、各トラッキングコイル１８にトラッキング動作用の駆動電流が供給されることにより発生した磁界と、永久磁石２４とヨーク２６およびヨークベース２８によって形成される磁気発生手段で発生された磁界との相互作用によってレンズホルダ１２０４は対物レンズ１４の光軸と直交する方向（光ディスクの径方向）に動かされ、トラッキング動作がなされる。
【００１９】
本実施例によれば、レンズホルダ１２０４からフランジ１２２０を取り除くことができるので、フランジ１２２０の厚さの分だけ各トラッキングコイル１８の端面と永久磁石２４の磁極との間の距離、すなわち磁気ギャップｇ（図３）を短縮化することができる。
また、レンズホルダ１２０４からフランジ１２２０を取り除くことができるので、フランジ１２２０の分だけレンズホルダ１２０４の重量を軽量化することができる。
したがって、本実施例によれば、光ピックアップ１０の高感度化を図る上で有利となる。
そして、以上の効果を、非水溶性樹脂材料から形成された軸部１２１８と、水溶性樹脂材料で形成されたフランジ１２２０とを有するレンズホルダ１２０４を用いるといった簡単な構成により達成することができる。
【図面の簡単な説明】
【００２０】
【図１】実施例１に係るレンズホルダの成形体が適用された光ピックアップの斜視図である。
【図２】実施例１に係るレンズホルダの成形体の斜視図である。
【図３】実施例１に係るレンズホルダの成形体が適用された光ピックアップの説明図である。
【図４】実施例１に係るレンズホルダの成形体の部分断面図である。
【符号の説明】
【００２１】
１０……光ピックアップ、１２……成形体、１４……対物レンズ、１６……フォーカシングコイル、１８……トラッキングコイル、１２０４……レンズホルダ、１２０６……フォーカシングコイル取付部、１２０８……トラッキングコイル取付部、１２１８……軸部、１２２０……フランジ。
【図１】
2005190596.tif 000003
【図２】
2005190596.tif 000004
【図３】
2005190596.tif 000005
【図４】
2005190596.tif 000006